(57)【要約】【課題】  容易かつ安全で、背の低いユーザや車椅子に乗ったユーザにとって、非常に操作性に優れる原稿押え手段の閉じ手段を備えた、画像形成装置、画像読取装置、用紙後処理装置等の画像形成関連装置を提供する。【解決手段】  自動原稿搬送装置（ＡＤＦ）に紐状部材１５を備え付けて装置側面に垂らし下げておくことによって、ＡＤＦ１の開放時、ＡＤＦ１の取手部１３を使用せず、紐状部材１５の先端についている取手部１６を引っ張ることで、ＡＤＦ１を閉じることができ、背の低いユーザや車椅子に乗ったユーザ１４の操作性を向上させる。【選択図】        図３
2007047264.tif 000002
【特許請求の範囲】
【請求項１】
原稿を押える原稿押え手段を装置本体に対して上下方向で回動可能に備える、画像形成装置、画像読取装置、用紙後処理装置等の画像形成関連装置において、前記原稿押え手段が、その上下回動位置に関わらずに前記装置本体脇へ操作可能に垂下する操作部材を備えることを特徴とする画像形成関連装置。
【請求項２】
請求項１に記載の画像形成関連装置において、前記操作部材が自由変形可能なものであることを特徴とする画像形成関連装置。
【請求項３】
請求項１または２に記載の画像形成関連装置において、前記操作部材が紐状であり、前記装置本体が前記紐状の操作部材を通す穴を備える保持部材を有することを特徴とする画像形成関連装置。
【請求項４】
請求項１から３のいずれかに記載の画像形成関連装置において、前記操作部材の先端に取手を備えることを特徴とする画像形成関連装置。
【請求項５】
請求項４に記載の画像形成関連装置において、前記保持部材の前記穴の大きさが、前記取手よりも小さいことを特徴とする画像形成関連装置。
【請求項６】
請求項４または５に記載の画像形成関連装置にて、前記取手を収納可能な前記操作部材の収納体を前記装置本体に備えることを特徴とする画像形成関連装置。
【請求項７】
請求項１から６のいずれかに記載の画像形成関連装置において、前記操作部材は、紐、チェーン、ベルト等のいずれかであることを特徴とする画像形成関連装置。
【発明の詳細な説明】
【技術分野】
【０００１】
本発明は、ファクシミリ、スキャナ、複写機あるいはこれらの複合機等に適用される画像形成装置、あるいは、画像読取装置、用紙後処理装置等の画像形成に関連する装置に関する。
【背景技術】
【０００２】
図１は、画像形成関連装置としてのデジタル複写機を車椅子に乗ったユーザが使用しようとしている状態を示す斜視図である。この装置は、自動原稿搬送装置（以下、ＡＤＦという）１、ＡＤＦ１から送り出される原稿をスタックする原稿排紙トレイ２、原稿を読み取る画像読み取り装置３、給紙カセット４〜７を備えた給紙部８、画像を形成する画像形成部９、記録済みの用紙をスタックする排紙部１０等を有している。ＡＤＦ１は、ヒンジ１１の支点軸を中心に回転して、コンタクトガラス１２に対して開閉し、閉めた時に、コンタクトガラス１２にセットされた原稿を押える役割を持つ。
【０００３】
この装置でコピーを行う場合は、ＡＤＦ１の取手部１３を手で押し上げ、ＡＤＦ１を開放し、コンタクトガラス１２に、原稿をセットした後、ＡＤＦ１の取手部１３をユーザの手で押すことによりＡＤＦ１を閉じる必要がある。しかしながら車椅子に乗ったユーザ１４や背の低いユーザは、ＡＤＦ１の開放状態では取手部１３に手が届かず、ＡＤＦ１を閉めることができない可能性が高い。
【０００４】
すなわちこのような複写機等やこれらの複合機等の画像形成装置その他の画像形成関連装置においては、背の低いユーザや車椅子に乗ったユーザの操作性を向上させ得る技術が希求されている。
【０００５】
そこで、例えば特許文献１に開示されている技術では、開いたままになっている開閉体に、例えば、椅子に乗って手が届かないような人であっても開閉体を閉じることができるようにするために、開閉体にレバーを取り付けることによって、操作性を向上させている。
【特許文献１】特開２００３−０６６５４４号公報
【特許文献２】特開２００５−０１０２９３号公報
【特許文献３】特開２００３−３４４９６０号公報
【発明の開示】
【発明が解決しようとする課題】
【０００６】
しかしながら、前記特許文献１の技術では、レバーを付けることによって操作性は向上するものの、設置スペースやコスト増という問題がある。
【０００７】
そこで本発明は、容易かつ安全で、背の低いユーザや車椅子に乗ったユーザにとって、非常に操作性に優れる原稿押え手段の閉じ手段を備えた、画像形成装置、画像読取装置、用紙後処理装置等の画像形成関連装置を提供することを目的とする。
【課題を解決するための手段】
【０００８】
本発明の請求項１に係る画像形成装置は、原稿を押える原稿押え手段を装置本体に対して上下方向で回動可能に備える、画像形成装置、画像読取装置、用紙後処理装置等の画像形成関連装置において、前記原稿押え手段が、その上下回動位置に関わらずに前記装置本体脇へ操作可能に垂下する操作部材を備えることを特徴とする。
【０００９】
同請求項２に係るものは、請求項１に記載の画像形成関連装置において、前記操作部材が自由変形可能なものであることを特徴とする。
【００１０】
同請求項３に係るものは、請求項１または２に記載の画像形成関連装置において、前記操作部材が紐状であり、前記装置本体が前記紐状の操作部材を通す穴を備える保持部材を有することを特徴とする。
【００１１】
同請求項４に係るものは、請求項１から３のいずれかに記載の画像形成関連装置において、前記操作部材の先端に取手を備えることを特徴とする。
【００１２】
同請求項５に係るものは、請求項４に記載の画像形成関連装置において、前記保持部材の前記穴の大きさが、前記取手よりも小さいことを特徴とする。
【００１３】
同請求項６に係るものは、請求項４または５に記載の画像形成関連装置にて、前記取手を収納可能な前記操作部材の収納体を前記装置本体に備えることを特徴とする。
【００１４】
同請求項７に係るものは、請求項１から６のいずれかに記載の画像形成関連装置において、前記操作部材は、紐、チェーン、ベルト等のいずれかであることを特徴とする。
【発明の効果】
【００１５】
本発明は、原稿押え手段に操作部材を垂下可能に備えることによって、原稿押え手段の開放時に操作部材を引っ張るだけで閉じることが出来、背の低いユーザや車椅子に乗ったユーザでも原稿押え手段を閉じることができるため、操作性を向上させることが可能となる。
【発明を実施するための最良の形態】
【００１６】
以下本発明を実施するための最良の形態を、図に示す実施例を参照して説明する。なお以下では従来と共通する部分には共通する符号を付して説明する。
【実施例１】
【００１７】
図２は、本発明の一実施例となる画像形成関連装置としてのデジタル複写機の斜視図、図３は使用状態の斜視図である。その基本的な構成、動作、作用は図１に示す装置と同様であるが、車椅子に乗ったユーザ１４や背の低いユーザは、ＡＤＦ１の開放状態では取手部５に手が届かず、ＡＤＦ１を閉めることができない可能性が高いことにかんがみ、ＡＤＦ１に紐状部材１５を備え付けて装置側面に垂らし下げておくことによって、ＡＤＦ１の開放時、ＡＤＦ１の取手部１３を使用せず、紐状部材１５の先端についている取手部１６を引っ張ることで、ＡＤＦ１を閉じることができ、背の低いユーザや車椅子に乗ったユーザ１４の操作性を向上させている。紐状部材１５には、例えば紐、チェーン、ベルト等の適宜のものを用いる。
【００１８】
また紐状部材１５は自由に変形するため、コンタクトガラス１２に乗り上げる可能性がある。そのため、画像形成装置としての装置本体である画像形成部９の側面に穴１７付きの保持部１８を取り付け、その穴１７に紐状部材１５を通すことによって、紐状部材１５の動きを規制し、コンタクトガラス１２に乗り上げることを防いでいる。
【００１９】
また紐状部材１５の先端に設けた取手部１６は、もちろんユーザ１４が紐状部材１５を引っ張りやすくしてユーザの操作性が向上させるようにするためのものであるが、保持部１８の穴１７から紐状部材１５が外れないように、保持部１８の穴１７は取手部１６よりもサイズを小さくしてある。
【００２０】
さらに、紐状部材１５とその取手部１６を収納できるスペースを有する収納箱１９を、画像形成部９の側面に取り付けることにより、外観の向上とユーザが取手部１６の位置を把握しやすくしてある。なお、収納箱１９に代えて、例えば画像形成部９に凹みを設けたり、紐状部材１５を引っかけて巻き付ける突起を設けたりしてもよい。
【図面の簡単な説明】
【００２１】
【図１】画像形成関連装置としてのデジタル複写機の斜視図
【図２】本発明の一実施例となるデジタル複写機の斜視図
【図３】同じく使用状態の斜視図
【符号の説明】
【００２２】
１  自動原稿搬送装置（ＡＤＦ）
２  原稿排紙トレイ
３  画像読み取り装置
４〜７  給紙カセット
８  給紙部
９  画像形成部
１０  排紙部
１１  ヒンジ
１２  コンタクトガラス
１３  ＡＤＦの取手部
１４  車椅子に乗ったユーザ
１５  紐状部材
１６  紐状部材の取手部
１７  保持部の穴
１８  保持部
１９  収納箱
【図１】
2007047264.tif 000003
【図２】
2007047264.tif 000004
【図３】
2007047264.tif 000005